(57)【要約】      （修正有）【課題】文字画像の可読性を極力低下させずに、集約印刷及びトナーセーブ印刷を併せて行うことを可能にする。【解決手段】画像形成装置１において、画像変換パターン記憶部１０２は、異なるドット間引き率からなる複数の画像変換パターンと、各画像変換パターンに対応する集約率とを、大きな集約率であるほど、ドット間引き率が小さい画像変換パターンを対応付けて記憶し、画像処理部１０３は、指示受付部１０１に集約印刷及びトナーセーブ印刷の実行指示が受け付けられているときは、当該集約印刷について指定されている集約率に対応付けられた画像変換パターンを画像変換パターン記憶部１０２から読み出し、当該画像変換パターンを用いて、原稿読取部５による原稿読取で取得された画像データに上記画像処理を行う。【選択図】図２
2014107833.tif 000002
【特許請求の範囲】
【請求項１】
印刷対象とする画像データを取得するデータ取得部と、
操作者から、集約率を指定した集約印刷の実行指示と、使用トナー量を低減した印刷であるトナーセーブ印刷の実行指示とを受け付ける指示受付部と、
異なるドット間引き率からなる複数の画像変換パターンと、各画像変換パターンに対応する集約率とを、大きな集約率であるほど、ドット間引き率が小さい画像変換パターンを対応付けて記憶する画像変換パターン記憶部と、
前記指示受付部に前記集約印刷及び前記トナーセーブ印刷の実行指示が受け付けられているとき、当該集約印刷について指定されている集約率に対応付けられた画像変換パターンを前記画像変換パターン記憶部から読み出し、当該画像変換パターンを用いて、前記データ取得部に取得された画像データに画像処理を行う画像処理部と
を備えた画像処理装置。
【請求項２】
前記データ取得部に取得された画像データが文字画像又はイメージ画像のいずれであるかを頁単位で判別する判別部を更に備え、
前記画像変換パターン記憶部は、前記イメージ画像の画像処理用に設定されたドット間引き率の画像変換パターンを更に記憶し、
前記画像処理部は、前記指示受付部に前記集約印刷及び前記トナーセーブ印刷の実行指示が受け付けられているとき、前記判別部により前記文字画像と判別された頁に対応する画像データについては、前記集約率に対応付けられた画像変換パターンを用いて画像処理を行い、前記判別部により前記イメージ画像と判別された頁に対応する画像データについては、前記画像変換パターン記憶部に前記イメージ画像の画像処理用として記憶されている画像変換パターンを用いて画像処理を行う請求項１に記載の画像処理装置。
【請求項３】
前記画像変換パターン記憶部は、前記画像変換パターンとしてマスクパターンを記憶し、
前記画像処理部は、当該マスクパターンを用いて、前記データ取得部に取得された画像データにマスク処理を行う請求項１又は請求項２に記載の画像処理装置。
【請求項４】
前記画像変換パターン記憶部は、前記画像変換パターンとして、前記画像データの低濃度部分を更に濃度を低下させ、高濃度部分は当該低濃度部分よりも濃度の低下量を抑えて濃度低下させる画像変換処理を行うガンマ変換パターンを複数記憶し、大きな集約率であるほど、ドット間引き率が小さいガンマ変換パターンを対応付けて記憶し、
前記画像処理部は、当該ガンマ変換パターンを用いて、前記データ取得部に取得された画像データにガンマ変換処理を行う請求項１又は請求項２に記載の画像処理装置。
【請求項５】
請求項１乃至請求項４のいずれかに記載の画像処理装置と、
前記画像処理部による前記画像処理後の前記画像データを用いて印刷を行う印刷部と、を備えた画像形成装置。
【請求項６】
印刷対象とする画像データを取得するデータ取得部と、
操作者から、集約率を指定した集約印刷の実行指示と、使用トナー量を低減した印刷であるトナーセーブ印刷の実行指示とを受け付ける指示受付部と、
異なるドット間引き率からなる複数の画像変換パターンと、各画像変換パターンに対応する集約率とを、大きな集約率であるほど、ドット間引き率が小さい画像変換パターンを対応付けて記憶する画像変換パターン記憶部と、
前記指示受付部に前記集約印刷及び前記トナーセーブ印刷の実行指示が受け付けられているとき、当該集約印刷について指定されている集約率に対応付けられた画像変換パターンを前記画像変換パターン記憶部から読み出し、当該画像変換パターンを用いて、前記データ取得部に取得された画像データに画像処理を行う画像処理部として、コンピューターを機能させる画像処理プログラム。
【発明の詳細な説明】
【技術分野】
【０００１】
本発明は、画像処理装置、画像形成装置、及び画像処理プログラムに関し、特に、印刷時における使用トナー量を低減させる画像処理に関する。
【背景技術】
【０００２】
コピー機やプリンター等の画像形成装置には、原稿の複数頁をまとめて1枚の記録紙に印刷する集約印刷のために、印刷対象とする画像データを縮小する画像処理を行うものがある（下記特許文献１参照）。この集約印刷により、多数頁の原稿を印刷する際に記録紙を節約できる。また、画像形成装置には、予め定められたマスクパターンで画像データをマスク処理する画像処理を行って、トナー使用量を低減して印刷対象の画像を印刷するトナーセーブ印刷を行う画像形成装置がある（下記特許文献２参照）。
【先行技術文献】
【特許文献】
【０００３】
【特許文献１】特開２００２−３００３６９号公報
【特許文献２】特開２０００−３０１７６８号公報
【発明の概要】
【発明が解決しようとする課題】
【０００４】
しかしながら、上記集約印刷では、複数頁分の画像データを縮小して1頁相当分の画像データを生成する画像処理が行われ、また、上記トナーセーブ印刷は、画像の印刷に本来必要なトナー量を減らすことで画像品質が低下するため、集約印刷及びトナーセーブ印刷を併せて行うと、例えば文字画像は、文字が小さくなる上に、上記トナー量低減で画像が粗くなって、文字としての可読性が低下する。
【０００５】
本発明は、上記の問題を解決するためになされたもので、文字画像の可読性を極力低下させずに、集約印刷及びトナーセーブ印刷を併せて行うことを目的とする。
【課題を解決するための手段】
【０００６】
本発明の一局面に係る画像処理装置は、印刷対象とする画像データを取得するデータ取得部と、操作者から、集約率を指定した集約印刷の実行指示と、使用トナー量を低減した印刷であるトナーセーブ印刷の実行指示とを受け付ける指示受付部と、異なるドット間引き率からなる複数の画像変換パターンと、各画像変換パターンに対応する集約率とを、大きな集約率であるほど、ドット間引き率が小さい画像変換パターンを対応付けて記憶する画像変換パターン記憶部と、前記指示受付部に前記集約印刷及び前記トナーセーブ印刷の実行指示が受け付けられているとき、当該集約印刷について指定されている集約率に対応付けられた画像変換パターンを前記画像変換パターン記憶部から読み出し、当該画像変換パターンを用いて、前記データ取得部に取得された画像データに画像処理を行う画像処理部とを備えたものである。
【０００７】
また、本発明の一局面に係る画像形成装置は、上記画像処理装置と、前記画像処理部による前記画像処理後の前記画像データを用いて印刷を行う印刷部とを備える。
【０００８】
また、本発明の一局面に係る画像処理プログラムは、印刷対象とする画像データを取得するデータ取得部と、操作者から、集約率を指定した集約印刷の実行指示と、使用トナー量を低減した印刷であるトナーセーブ印刷の実行指示とを受け付ける指示受付部と、異なるドット間引き率からなる複数の画像変換パターンと、各画像変換パターンに対応する集約率とを、大きな集約率であるほど、ドット間引き率が小さい画像変換パターンを対応付けて記憶する画像変換パターン記憶部と、前記指示受付部に前記集約印刷及び前記トナーセーブ印刷の実行指示が受け付けられているとき、当該集約印刷について指定されている集約率に対応付けられた画像変換パターンを前記画像変換パターン記憶部から読み出し、当該画像変換パターンを用いて、前記データ取得部に取得された画像データに画像処理を行う画像処理部として、コンピューターを機能させるものである。
【発明の効果】
【０００９】
本発明によれば、文字画像の可読性を低下させることなく、集約印刷及びトナーセーブ印刷を併せて行うことが可能になる。
【図面の簡単な説明】
【００１０】
【図１】本発明の一実施形態に係る画像処理装置を備えた画像形成装置の構造を示す正面断面図である。
【図２】画像形成装置の主要内部構成を示す機能ブロック図である。
【図３】画像変換パターン記憶部に集約率に応じて記憶されているマスクパターンの例を示す図である。
【図４】各ガンマ変換パターンの特性を示す図である。
【図５】画像形成装置で集約印刷及びトナーセーブ印刷を併せて実行する際における画像処理を示すフローチャートである。
【図６】読取対象とされる原稿と、集約印刷及びトナーセーブ印刷を併せて行って得た印刷物の例を示す図である。
【発明を実施するための形態】
【００１１】
以下、本発明の一実施形態に係る画像処理装置、画像形成装置、及び画像処理プログラムについて図面を参照して説明する。図１は、本発明の一実施形態に係る画像処理装置を備えた画像形成装置の構造を示す正面断面図である。
【００１２】
本発明の一実施形態に係る画像形成装置１は、例えば、コピー機能、プリンター機能、スキャナー機能、およびファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１３】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１４】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１５】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部（印刷部）１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１６】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１７】
給紙部１４は、複数の給紙カセットを備える。制御部１００（図２）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００１８】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１９】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。
【００２０】
原稿読取部（データ取得部）５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２１】
画像メモリー３２は、原稿読取部５による読取で得られた原稿画像のデータを一時的に記憶したり、画像形成部１２のプリント対象となるデータを一時的に保存する領域である。
【００２２】
ファクシミリ通信部７１は、図略の符号化／復号化部、変復調部及びＮＣＵ（Network Control Unit）を備え、公衆電話回線網を用いてのファクシミリの送信を行うものである。
【００２３】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。なお、ネットワークインターフェイス部９１は、特許請求の範囲におけるデータ取得部の一例となる。
【００２４】
ＨＤＤ９２は、原稿読取部５によって読み取られた原稿画像等を記憶する大容量の記憶装置である。
【００２５】
駆動モーター７０は、画像形成部１２の各回転部材及び搬送ローラー対１９等に回転駆動力を付与する駆動源である。
【００２６】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、指示受付部１０１、画像変換パターン記憶部１０２、画像処理部１０３、及び判別部１０４を備える。
【００２７】
制御部１００は、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。
【００２８】
指示受付部１０１は、操作者による操作部４７の操作により、又はネットワークインターフェイス部９１を介してネットワーク上のＰＣ２０から、集約印刷の実行指示と、トナーセーブ印刷の実行指示とを受け付ける。集約印刷とは、原稿複数頁分の画像データを縮小して1枚の記録紙に印刷可能なレイアウトに構成して1枚の記録紙に印刷する印刷方式である。指示受付部１０１は、集約率の指定、すなわち、何頁分の原稿の画像データを1枚に集約するかの指定も、上記集約印刷の実行指示として受け付ける。また、トナーセーブ印刷は、印刷対象となる画像データの印刷に本来必要なトナー使用量よりもトナー使用量を低減して当該画像データを印刷する印刷方式である。
【００２９】
画像変換パターン記憶部１０２は、異なる間引き率からなる複数の画像変換パターンと、各画像変換パターンに対応する集約率とを、大きな集約率であるほど、ドット間引き率が小さい画像変換パターンを対応付けて記憶したデータテーブルを有する。本実施形態では、画像変換パターンとして、(1)マスク処理に用いるマスクパターン、又は(2)ガンマ変換処理に用いるガンマ変換パターンを記憶している。
【００３０】
画像変換パターン記憶部１０２に記憶されている画像変換パターンを説明する。図３は、画像変換パターン記憶部１０２に集約率に応じて記憶されているマスクパターンの例を示す図である。図４は各ガンマ変換パターンの特性を示す図である。
【００３１】
例えば、画像変換パターン記憶部１０２には、図３に示すように、4画素×4画素のマスクパターンが3種類記憶されている。マスクパターンｍ１は印字率25％＝4画素/16画素、マスクパターンｍ２は印字率50％＝8画素/16画素、マスクパターンｍ３は印字率75％＝12画素/16画素である。なお、図３に示す各マスクパターンにおいて、「1」を付した画素が印字を行う画素、「0」を付した画素が
【００３２】
これらマスクパターンｍ１〜ｍ３は、それぞれ異なる集約率に対応付けられている。ここでは集約率を、集約印刷時に1頁に纏める頁数により示し、例えば、2頁分の原稿を1頁に集約する場合の集約率を2in1、4分の原稿を1頁に集約する場合の集約率を4in1とする。本実施形態では、集約率が当該2種類である場合を例にして説明する。
【００３３】
そして、マスクパターンｍ１（印字率25％）は、集約印刷を行わずに（集約率1in1）、トナーセーブ印刷のみを行う場合のマスク処理に用いられる。すなわち、マスクパターンｍ１は、集約率1in1に対応付けられている。マスクパターンｍ２（印字率50％）は集約率2in1に対応付けられている。マスクパターンｍ３（印字率75％）は、集約率4in1に対応付けられている。画像変換パターン記憶部１０２は、これらマスクパターン及び対応付けられた集約率を上記データテーブルに記憶している。すなわち、画像変換パターン記憶部１０２には、異なる間引き率からなり、対応付けられた集約率が大きいほど、間引き率が小さい複数のマスクパターンが記憶されている。
【００３４】
また、画像変換パターン記憶部１０２に、画像変換パターンとして、ガンマ変換パターンが集約率と対応付けて記憶される場合は、図４に示す特性に対応する各関係式がガンマ変換パターンｇ１〜ｇ３として画像変換パターン記憶部１０２に記憶されている。ガンマ変換処理は、画像データの低濃度部分を更に濃度を低下させ、高濃度部分は当該低濃度部分よりも濃度の低下量を抑えて濃度低下させる画像変換処理である。
【００３５】
これらガンマ変換パターンｇ１〜ｇ３は、それぞれ異なる集約率に対応付けられている。ガンマ変換パターンｇ１（中濃度部のコントラストが強度。図４にｇ１として特性を示す）は、集約率1in1に対応付けられている。ガンマ変換パターンｇ２（中濃度部のコントラストが中程度。図４にｇ２として特性を示す）は集約率2in1に対応付けられている。ガンマ変換パターンｇ３（中濃度部のコントラストが低度。図４にｇ３として特性を示す）は、集約率4in1に対応付けられている。画像変換パターン記憶部１０２は、ガンマ変換パターンｇ１〜ｇ３及びそれぞれに対応付けられた集約率を上記データテーブルに記憶している。すなわち、画像変換パターン記憶部１０２には、異なる間引き率からなる複数のガンマ変換パターンが、対応付けられた集約率が大きいほど、間引き率が小さいガンマ変換パターンが記憶されている。
【００３６】
画像処理部１０３は、画像変換パターン記憶部１０２に記憶されている画像変換パターンを用いて、印刷対象としての画像データに画像処理を行う。画像処理部１０３は、指示受付部１０１に、印刷対象とする画像データに対して集約印刷及びトナーセーブ印刷の両方を実行する指示が受け付けられているとき、当該集約印刷について指定されている集約率に対応付けられた画像変換パターンを画像変換パターン記憶部１０２から読み出し、当該画像変換パターンを用いて、原稿読取部５又はネットワークインターフェイス部９１に取得された印刷対象としての画像データに画像処理を行う。
【００３７】
判別部１０４は、原稿読取部５又はネットワークインターフェイス部９１に取得された印刷対象としての画像データが、文字画像又はイメージ画像のいずれであるかを、画像データの頁単位で判別する。なお、以下には、文字画像からなる頁を文字画像頁、イメージ画像からなる頁をイメージ画像頁と記す。
【００３８】
なお、判別部１０４は、画像データから文字画像を判別する技術として、例えば、エッジ検出処理の手法を用いる。この場合、判別部１０４は、印刷対象となる画像データの示す画像を構成する各画素を順次注目画素とし、その注目画素と周辺画素を抽出して、それらの画素に対してエッジ検出フィルタを用いたフィルタ処理を施すことにより、画像の輪郭を構成するエッジ画素を検出するエッジ検出処理を行う。そして、判別部１０４は、このエッジ検出処理でエッジを検出した場合に、当該注目画素をエッジ画素と判定し、当該エッジ画素に基づいて文字画像を判定する。例えば、判別部１０４は、注目画素と、注目画素に隣接する8近傍画素との各々の輝度の差分値を算出し、所定の閾値よりも大きな値を有する差分値が、一定個数以上（例えば4個以上）ある場合、その注目画素は、文字画像を構成するエッジ画素であると判定する。判別部１０４は、当該エッジ画素が、予め定められた閾値以上存在する画像を文字画像として判別する。そして、判別部１０４は、原稿1頁分の画像において、当該文字画像の分布密度が、規定された密度（例えば、20%）よりも高くなっていると判定した場合に、当該原稿頁の画像データを文字画像頁と判別する。また、判別部１０４は、当該原稿1頁分の画像データについて、当該文字画像の分布密度が上記規定された密度以下と判定した場合に、当該原稿頁の画像データをイメージ画像頁と判別する。なお、当該イメージ画像には、写真画像、図形画像、グラフィック画像等が含まれる。
【００３９】
また、画像変換パターン記憶部１０２は、イメージ画像の画像処理用に設定された間引き率の画像変換パターン（マスクパターン又はガンマ変換パターン）を更に記憶している。なお、このイメージ画像用の画像変換パターンの間引き率は、集約印刷の集約率に拘わらず固定の値として記憶されている。画像変換パターン記憶部１０２は、イメージ画像の画像処理用に設定された間引き率の画像変換パターンとして、上記マスクパターンｍ１又はガンマ変換パターンｇ１を記憶している。
【００４０】
また、画像処理部１０３は、指示受付部１０１に集約印刷及びトナーセーブ印刷の両方を実行する指示が受け付けられているときに、判別部１０４により判別された文字画像頁の画像データについて、集約率に対応付けられた画像変換パターンを用いて画像処理を行い、判別部１０４により判別されたイメージ画像頁に対応する画像データについては、イメージ画像の画像処理用の画像変換パターンを用いて画像処理を行う。
【００４１】
なお、本発明の一実施形態に係る画像処理装置は、上記指示受付部１０１、画像変換パターン記憶部１０２、画像処理部１０３、及び判別部１０４を備えてなる。但し、判別部１０４は、以下に示す実施形態において必要となる限りで、本発明の一実施形態に係る画像処理装置の構成要素となる。
【００４２】
制御ユニット１０は、ＨＤＤ９２にインストールされている画像処理プログラムに従った動作により、制御部１００（集約印刷及びトナーセーブ印刷を併せて実行する際における後述の画像処理に関する機能）、指示受付部１０１、画像変換パターン記憶部１０２、画像処理部１０３、及び判別部１０４として機能する。但し、当該制御部１００、指示受付部１０１、画像変換パターン記憶部１０２、画像処理部１０３、及び判別部１０４は、制御ユニット１０による画像処理プログラムに従った動作によらず、それぞれハード回路により構成することも可能である。以下、特に触れない限り、各実施形態について同様である。
【００４３】
次に、画像形成装置１で集約印刷及びトナーセーブ印刷を併せて実行する際における画像処理を説明する。図５は、画像形成装置１で集約印刷及びトナーセーブ印刷を併せて実行する際における画像処理を示すフローチャートである。図６は読取対象とされる原稿と、集約印刷及びトナーセーブ印刷を併せて行って得た印刷物の例を示す図である。
【００４４】
本実施形態は、画像処理部１０３が、上記画像処理としてマスク処理を行う実施形態である。また、以下には、原稿読取部５による原稿読取で取得される画像データを印刷対象の画像データとする場合を例にして説明するが、ネットワークインターフェイス部９１に上記ＰＣ２０等から取得された画像データを印刷対象の画像データとして以下に示す画像処理を行ってもよい。
【００４５】
操作者による操作部４７の操作によりコピー指示が入力されると（Ｓ１でＹＥＳ）、画像処理部１０３は、指示受付部１０１にトナーセーブ印刷の実行指示が受け付けられているかを判断する（Ｓ２）。ここで、画像処理部１０３は、指示受付部１０１にトナーセーブ印刷の実行指示が受け付けられていないと判断すると（Ｓ２でＮＯ）、更に、集約印刷の実行指示が指示受付部１０１に受け付けられているかを判断する（Ｓ１２）。
【００４６】
画像処理部１０３が、集約印刷の実行指示が受け付けられていないと判断した場合（Ｓ１２でＮＯ）、制御部１００により、トナーセーブ印刷及び集約印刷のいずれも行わない設定でコピー動作に伴う原稿読取動作及び画像形成動作が実行される（Ｓ１９）。
【００４７】
一方、画像処理部１０３が、集約印刷の実行指示が受け付けられていると判断した場合は（Ｓ１２でＹＥＳ）、制御部１００により、コピー動作に伴う原稿読取動作及び画像形成動作が実行されると共に、当該原稿読取動作で取得された画像データに対して従来一般の集約印刷に必要な画像処理が実行される（Ｓ１３）。
【００４８】
また、画像処理部１０３は、上記Ｓ２において、指示受付部１０１にトナーセーブ印刷の実行指示が受け付けられていると判断した場合（Ｓ２でＹＥＳ）、集約印刷の実行指示が指示受付部１０１に受け付けられているかを判断する（Ｓ３）。ここで、画像処理部１０３が、集約印刷の実行指示が受け付けられていないと判断すると（Ｓ３でＮＯ）、画像処理部１０３は、集約印刷を行わずにトナーセーブ印刷を行うために、集約率1in1に対応付けられているマスクパターンｍ１を画像変換パターン記憶部１０２から読み出し、当該マスクパターンｍ１を用いて、原稿読取部５による原稿読取で取得される全頁の画像データにマスク処理を行うように設定する（Ｓ１５）。
【００４９】
上記Ｓ１５の後、制御部１００は、原稿読取部５に原稿載置台６１に載置された原稿読取を開始させ、原稿画像の画像データを生成させる（Ｓ１６）。続いて、画像処理部１０３は、当該原稿読取部５による読取で取得された画像データに対して、マスクパターンｍ１を用いてマスク処理を行う（Ｓ１７）。この後、制御部１００は、画像形成部１２に当該画像データの画像形成（印刷）を行わせる（Ｓ１８）。
【００５０】
また、上記Ｓ３において、画像処理部１０３が、指示受付部１０１に集約印刷の実行指示が受け付けられていると判断した場合は（Ｓ３でＹＥＳ）、画像処理部１０３は、当該集約印刷の指示で指定されている集約率に応じたマスクパターンを画像変換パターン記憶部１０２から読み出し、当該マスクパターンを、当該原稿読取部５による読取で取得される画像データのうち、文字画像頁に対するマスク処理に用いるマスクパターンとして設定する（Ｓ４）。
【００５１】
例えば、画像処理部１０３は、集約印刷の指示で指定されている集約率が2in1であるときは、画像変換パターン記憶部１０２から、当該2in1の集約率に対応付けられているマスクパターンｍ２を読み出して、文字画像頁に対するマスク処理用として設定する。また、画像処理部１０３は、上記集約率が4in1であるときは、画像変換パターン記憶部１０２から、当該4in1の集約率に対応付けられているマスクパターンｍ３を読み出して、文字画像頁に対するマスク処理用として設定する。なお、画像処理部１０３は、当該指定された集約率に拘わらず、原稿読取部５による読取で取得される画像データのうちイメージ画像頁に対するマスク処理に用いるマスクパターンとして、画像変換パターン記憶部１０２から、マスクパターンｍ１を読み出して設定する。
【００５２】
この後、制御部１００は、原稿読取部５に原稿載置台６１に載置された原稿読取を開始させ、読み終わった原稿についての画像データを順次生成させる（Ｓ５）。なお、本実施形態では、Ｓ５において、原稿読取部５が原稿載置台６１に載置された全ての原稿読取を行うものとし、原稿読取が終了して画像データが生成された頁から順次に、以降の各処理の対象とされるものとして説明している。
【００５３】
続いて、判別部１０４は、当該原稿読取で取得された各頁の画像データについて、1頁毎に、当該頁の画像データが文字画像頁であるか、イメージ画像頁であるかを判別する（Ｓ６）。
【００５４】
判別部１０４が文字画像頁であると判別した場合（Ｓ６でＹＥＳ）、上記指定された集約率に対応する縮小率で当該画像データを縮小し、更に、Ｓ４で当該集約率に応じて文字画像頁に設定したマスクパターンを用いてマスク処理を行う（Ｓ７）。
【００５５】
一方、判別部１０４がイメージ画像頁であると判別した場合は（Ｓ６でＮＯ）、上記指定された集約率に対応する縮小率で当該画像データを縮小し、更に、Ｓ４で設定したイメージ画像用のマスクパターンを用いてマスク処理を行う（Ｓ１４）。
【００５６】
画像処理部１０３は、指示受付部１０１に実行指示が受け付けられている集約印刷の集約率が示す1頁に集約する頁分（集約率Nin1の場合にN頁分）の画像データについて上記画像処理が終わったと判断したとき、又は、原稿最終頁の画像データについて上記画像処理が終わったと判断したとき（Ｓ８でＹＥＳ）、当該頁分の画像データを原稿1頁分に相当する画像データに合成する（Ｓ９）。制御部１００は、画像形成部１２に当該合成処理で生成された集約後の1頁分の画像データについて画像形成（印刷）を行わせる（Ｓ１０）。
【００５７】
なお、Ｓ８において、画像処理部１０３が、集約印刷の集約率が示す1頁に集約する頁分の画像データについて上記画像処理が終わっていないと判断したとき、又は、原稿最終頁の画像データまで上記画像処理が終わっていないと判断したときは（Ｓ８でＮＯ）、処理はＳ６に戻る。
【００５８】
この後、画像処理部１０３は、上記画像処理が原稿最終頁の画像データまで終了しているかを判断し（Ｓ１１）、終了していない場合は（Ｓ１１でＮＯ）、処理はＳ６に戻り、終了している場合は（Ｓ１１でＹＥＳ）、処理を終了する。
【００５９】
上記に示した集約印刷及びトナーセーブ印刷と、これら両印刷を行う際に行われる上記マスクパターンを用いたマスク処理により、図６（Ａ）に例を示す、原稿読取部５による読取対象となる原稿が、文字画像で構成される1頁目の原稿Ｄ１、イメージ画像で構成される2頁目の原稿Ｄ２，3頁目の原稿Ｄ３、文字画像で構成される4頁目の原稿Ｄ４の印刷を行う場合を説明する。
【００６０】
集約率2in1の集約印刷及びトナーセーブ印刷を行う場合、図６（Ｂ）に示すように、2頁分の文字画像が集約して印刷される1頁目の記録紙Ｐ１は、文字画像頁となる原稿Ｄ１に対応する部分ｐ１１はマスクパターンｍ２により印字率50％で印刷され、イメージ画像頁となる原稿Ｄ２に対応する部分ｐ１２はマスクパターンｍ１により印字率25％で印刷される。また、2頁目の記録紙Ｐ１は、イメージ画像頁となる原稿Ｄ３に対応する部分ｐ１３はマスクパターンｍ１により25％で印刷され、文字画像頁となる原稿Ｄ４に対応する部分ｐ１４はマスクパターンｍ２により印字率50％で印刷される。
【００６１】
一方、集約率4in1の集約印刷及びトナーセーブ印刷を行う場合、図６（Ｃ）に示すように、4頁分の文字画像が集約して印刷される1頁目の記録紙Ｐ１’は、文字画像頁となる原稿Ｄ１に対応する部分ｐ１１はマスクパターンｍ３により印字率75％で印刷され、イメージ画像頁となる原稿Ｄ２，原稿Ｄ３に対応する部分ｐ１２，ｐ１３はマスクパターンｍ１により印字率25％で印刷され、文字画像頁となる原稿Ｄ４に対応する部分ｐ１４はマスクパターンｍ３により印字率75％で印刷される。
【００６２】
上記実施形態によれば、画像変換パターン記憶部１０２は、異なるドット間引き率からなる複数の画像変換パターンと、各画像変換パターンに対応する集約率とを、大きな集約率であるほど、ドット間引き率が小さい画像変換パターンを対応付けて記憶し、画像処理部１０３は、指示受付部１０１に集約印刷及びトナーセーブ印刷の実行指示が受け付けられているときは、当該集約印刷について指定されている集約率に対応付けられた画像変換パターンを画像変換パターン記憶部１０２から読み出し、当該画像変換パターンを用いて、原稿読取部５による原稿読取で取得された画像データに上記画像処理を行うので、当該原稿読取で取得された画像データを集約印刷により縮小した上でトナーセーブ印刷する場合であっても、集約率に応じてトナー量を制限することで、可及的に画像品質を保つことができる。これにより、印刷結果物に文字画像が含まれる場合であっても、文字画像の可読性を極力低下させずに、集約印刷及びトナーセーブ印刷を併せて行うことが可能になる。
【００６３】
また、判別部１０４が、上記原稿読取で取得された画像データを頁毎に文字画像頁であるかイメージ画像頁であるかを判別し、画像処理部１０３は、文字画像頁であると判別された場合は集約率に応じた画像変換パターンを用いて上記画像処理を行い、イメージ画像頁であると判別された場合は、イメージ画像固有の画像変換パターンを用いて上記画像処理を行うので、上記図６（Ｃ）に例を示したように、トナー量低減処理により輪郭が潰れやすく可読性に影響がある文字画像については、集約率に応じたトナー量制限とすることで可及的に画像品質を保ちつつ、このような問題のないイメージ画像については、文字画像よりもトナー低減量を多くした印刷として、トナー量低減の効果を可及的に担保することが可能になる。
【００６４】
なお、上記実施形態では、トナーセーブ印刷時に行う画像処理として、マスク処理を行う場合を説明したが、これに代えて、画像変換パターン記憶部１０２に集約率に応じて又はイメージ画像に対応付けて記憶されているガンマ変換パターンを用いてガンマ変換処理を行ってもよい。この場合、上記実施形態において、マスクパターンに換えてガンマ変換パターンを用い、マスク処理に代えてガンマ変換処理を行う。
【００６５】
また、上記実施形態では、画像処理部１０３は、文字画像及びイメージ画像の別に応じた画像変換パターン（マスクパターン又はガンマ変換パターン）の使い分けを行っているが、これに限定されず、文字画像及びイメージ画像を区別せずに、集約率に応じてのみ画像変換パターンの使い分けを行う場合も、本発明の一実施形態である。
【００６６】
本発明は上記実施の形態の構成に限られず種々の変形が可能である。図１乃至図６を用いて上記各実施形態に示した構成及び処理は、本発明の一実施形態に過ぎず、本発明の構成及び処理はこれに限定されるものではない。
【符号の説明】
【００６７】
１          画像形成装置
５          原稿読取部
１０        制御ユニット
１００      制御部
１０１      指示受付部
１０２      画像変換パターン記憶部
１０３      画像処理部
１０４      判別部
１２        画像形成部
９１        ネットワークインターフェイス部
ｍ１〜ｍ３  マスクパターン
ｇ１〜ｇ３  ガンマ変換パターン
【図１】
2014107833.tif 000003
【図２】
2014107833.tif 000004
【図３】
2014107833.tif 000005
【図４】
2014107833.tif 000006
【図５】
2014107833.tif 000007
【図６】
2014107833.tif 000008
【手続補正書】
【提出日】平成25年11月26日(2013.11.26)
【手続補正１】
【補正対象書類名】明細書
【補正対象項目名】全文
【補正方法】変更
【補正の内容】
【発明の詳細な説明】
【技術分野】
【０００１】
本発明は、画像処理装置、画像形成装置、及び画像処理プログラムに関し、特に、印刷時における使用トナー量を低減させる画像処理に関する。
【背景技術】
【０００２】
コピー機やプリンター等の画像形成装置には、原稿の複数頁をまとめて1枚の記録紙に
印刷する集約印刷のために、印刷対象とする画像データを縮小する画像処理を行うものがある（下記特許文献１参照）。この集約印刷により、多数頁の原稿を印刷する際に記録紙を節約できる。また、画像形成装置には、予め定められたマスクパターンで画像データをマスク処理する画像処理を行って、トナー使用量を低減して印刷対象の画像を印刷するトナーセーブ印刷を行う画像形成装置がある（下記特許文献２参照）。
【先行技術文献】
【特許文献】
【０００３】
【特許文献１】特開２００２−３００３６９号公報
【特許文献２】特開２０００−３０１７６８号公報
【発明の概要】
【発明が解決しようとする課題】
【０００４】
しかしながら、上記集約印刷では、複数頁分の画像データを縮小して1頁相当分の画像データを生成する画像処理が行われ、また、上記トナーセーブ印刷は、画像の印刷に本来必要なトナー量を減らすことで画像品質が低下するため、集約印刷及びトナーセーブ印刷を併せて行うと、例えば文字画像は、文字が小さくなる上に、上記トナー量低減で画像が粗くなって、文字としての可読性が低下する。
【０００５】
本発明は、上記の問題を解決するためになされたもので、文字画像の可読性を極力低下させずに、集約印刷及びトナーセーブ印刷を併せて行うことを目的とする。
【課題を解決するための手段】
【０００６】
本発明の一局面に係る画像処理装置は、印刷対象とする画像データを取得するデータ取得部と、操作者から、集約率を指定した集約印刷の実行指示と、使用トナー量を低減した印刷であるトナーセーブ印刷の実行指示とを受け付ける指示受付部と、異なるドット間引き率からなる複数の画像変換パターンと、各画像変換パターンに対応する集約率とを、大きな集約率であるほど、ドット間引き率が小さい画像変換パターンを対応付けて記憶する画像変換パターン記憶部と、前記指示受付部に前記集約印刷及び前記トナーセーブ印刷の実行指示が受け付けられているとき、当該集約印刷について指定されている集約率に対応付けられた画像変換パターンを前記画像変換パターン記憶部から読み出し、当該画像変換パターンを用いて、前記データ取得部に取得された画像データに画像処理を行う画像処理部とを備えたものである。
【０００７】
また、本発明の一局面に係る画像形成装置は、上記画像処理装置と、前記画像処理部による前記画像処理後の前記画像データを用いて印刷を行う印刷部とを備える。
【０００８】
また、本発明の一局面に係る画像処理プログラムは、印刷対象とする画像データを取得するデータ取得部と、操作者から、集約率を指定した集約印刷の実行指示と、使用トナー量を低減した印刷であるトナーセーブ印刷の実行指示とを受け付ける指示受付部と、異なるドット間引き率からなる複数の画像変換パターンと、各画像変換パターンに対応する集約率とを、大きな集約率であるほど、ドット間引き率が小さい画像変換パターンを対応付けて記憶する画像変換パターン記憶部と、前記指示受付部に前記集約印刷及び前記トナーセーブ印刷の実行指示が受け付けられているとき、当該集約印刷について指定されている集約率に対応付けられた画像変換パターンを前記画像変換パターン記憶部から読み出し、当該画像変換パターンを用いて、前記データ取得部に取得された画像データに画像処理を行う画像処理部として、コンピューターを機能させるものである。
【発明の効果】
【０００９】
本発明によれば、文字画像の可読性を低下させることなく、集約印刷及びトナーセーブ印刷を併せて行うことが可能になる。
【図面の簡単な説明】
【００１０】
【図１】本発明の一実施形態に係る画像処理装置を備えた画像形成装置の構造を示す正面断面図である。
【図２】画像形成装置の主要内部構成を示す機能ブロック図である。
【図３】画像変換パターン記憶部に集約率に応じて記憶されているマスクパターンの例を示す図である。
【図４】各ガンマ変換パターンの特性を示す図である。
【図５】画像形成装置で集約印刷及びトナーセーブ印刷を併せて実行する際における画像処理を示すフローチャートである。
【図６】読取対象とされる原稿と、集約印刷及びトナーセーブ印刷を併せて行って得た印刷物の例を示す図である。
【発明を実施するための形態】
【００１１】
以下、本発明の一実施形態に係る画像処理装置、画像形成装置、及び画像処理プログラムについて図面を参照して説明する。図１は、本発明の一実施形態に係る画像処理装置を備えた画像形成装置の構造を示す正面断面図である。
【００１２】
本発明の一実施形態に係る画像形成装置１は、例えば、コピー機能、プリンター機能、スキャナー機能、およびファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１３】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１４】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１５】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部（印刷部）１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１６】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１７】
給紙部１４は、複数の給紙カセットを備える。制御部１００（図２）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００１８】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１９】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。
【００２０】
原稿読取部（データ取得部）５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２１】
画像メモリー３２は、原稿読取部５による読取で得られた原稿画像のデータを一時的に記憶したり、画像形成部１２のプリント対象となるデータを一時的に保存する領域である。
【００２２】
ファクシミリ通信部７１は、図略の符号化／復号化部、変復調部及びＮＣＵ（Network Control Unit）を備え、公衆電話回線網を用いてのファクシミリの送信を行うものである。
【００２３】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。なお、ネットワークインターフェイス部９１は、特許請求の範囲におけるデータ取得部の一例となる。
【００２４】
ＨＤＤ９２は、原稿読取部５によって読み取られた原稿画像等を記憶する大容量の記憶装置である。
【００２５】
駆動モーター７０は、画像形成部１２の各回転部材及び搬送ローラー対１９等に回転駆動力を付与する駆動源である。
【００２６】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、指示受付部１０１、画像変換パターン記憶部１０２、画像処理部１０３、及び判別部１０４を備える。
【００２７】
制御部１００は、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。
【００２８】
指示受付部１０１は、操作者による操作部４７の操作により、又はネットワークインターフェイス部９１を介してネットワーク上のＰＣ２０から、集約印刷の実行指示と、トナーセーブ印刷の実行指示とを受け付ける。集約印刷とは、原稿複数頁分の画像データを縮小して1枚の記録紙に印刷可能なレイアウトに構成して1枚の記録紙に印刷する印刷方式である。指示受付部１０１は、集約率の指定、すなわち、何頁分の原稿の画像データを1枚に集約するかの指定も、上記集約印刷の実行指示として受け付ける。また、トナーセーブ印刷は、印刷対象となる画像データの印刷に本来必要なトナー使用量よりもトナー使用量を低減して当該画像データを印刷する印刷方式である。
【００２９】
画像変換パターン記憶部１０２は、異なる間引き率からなる複数の画像変換パターンと、各画像変換パターンに対応する集約率とを、大きな集約率であるほど、ドット間引き率が小さい画像変換パターンを対応付けて記憶したデータテーブルを有する。本実施形態では、画像変換パターンとして、(1)マスク処理に用いるマスクパターン、又は(2)ガンマ変換処理に用いるガンマ変換パターンを記憶している。
【００３０】
画像変換パターン記憶部１０２に記憶されている画像変換パターンを説明する。図３は、画像変換パターン記憶部１０２に集約率に応じて記憶されているマスクパターンの例を示す図である。図４は各ガンマ変換パターンの特性を示す図である。
【００３１】
例えば、画像変換パターン記憶部１０２には、図３に示すように、4画素×4画素のマスクパターンが3種類記憶されている。マスクパターンｍ１は印字率25％＝4画素/16画素、マスクパターンｍ２は印字率50％＝8画素/16画素、マスクパターンｍ３は印字率75％＝12画素/16画素である。なお、図３に示す各マスクパターンにおいて、「1」を付した画素が印字を行う画素、「0」を付した画素が印字を行わない画素である。
【００３２】
これらマスクパターンｍ１〜ｍ３は、それぞれ異なる集約率に対応付けられている。ここでは集約率を、集約印刷時に1頁に纏める頁数により示し、例えば、2頁分の原稿を1頁に集約する場合の集約率を2in1、4分の原稿を1頁に集約する場合の集約率を4in1とする。本実施形態では、集約率が当該2種類である場合を例にして説明する。
【００３３】
そして、マスクパターンｍ１（印字率25％）は、集約印刷を行わずに（集約率1in1）、トナーセーブ印刷のみを行う場合のマスク処理に用いられる。すなわち、マスクパターンｍ１は、集約率1in1に対応付けられている。マスクパターンｍ２（印字率50％）は集約率2in1に対応付けられている。マスクパターンｍ３（印字率75％）は、集約率4in1に対応付けられている。画像変換パターン記憶部１０２は、これらマスクパターン及び対応付けられた集約率を上記データテーブルに記憶している。すなわち、画像変換パターン記憶部１０２には、異なる間引き率からなり、対応付けられた集約率が大きいほど、間引き率が小さい複数のマスクパターンが記憶されている。
【００３４】
また、画像変換パターン記憶部１０２に、画像変換パターンとして、ガンマ変換パターンが集約率と対応付けて記憶される場合は、図４に示す特性に対応する各関係式がガンマ変換パターンｇ１〜ｇ３として画像変換パターン記憶部１０２に記憶されている。ガンマ変換処理は、画像データの低濃度部分を更に濃度を低下させ、高濃度部分は当該低濃度部分よりも濃度の低下量を抑えて濃度低下させる画像変換処理である。
【００３５】
これらガンマ変換パターンｇ１〜ｇ３は、それぞれ異なる集約率に対応付けられている。ガンマ変換パターンｇ１（中濃度部のコントラストが強度。図４にｇ１として特性を示す）は、集約率1in1に対応付けられている。ガンマ変換パターンｇ２（中濃度部のコントラストが中程度。図４にｇ２として特性を示す）は集約率2in1に対応付けられている。ガンマ変換パターンｇ３（中濃度部のコントラストが低度。図４にｇ３として特性を示す）は、集約率4in1に対応付けられている。画像変換パターン記憶部１０２は、ガンマ変換パターンｇ１〜ｇ３及びそれぞれに対応付けられた集約率を上記データテーブルに記憶している。すなわち、画像変換パターン記憶部１０２には、異なる間引き率からなる複数のガンマ変換パターンが、対応付けられた集約率が大きいほど、間引き率が小さいガンマ変換パターンが記憶されている。
【００３６】
画像処理部１０３は、画像変換パターン記憶部１０２に記憶されている画像変換パターンを用いて、印刷対象としての画像データに画像処理を行う。画像処理部１０３は、指示受付部１０１に、印刷対象とする画像データに対して集約印刷及びトナーセーブ印刷の両方を実行する指示が受け付けられているとき、当該集約印刷について指定されている集約率に対応付けられた画像変換パターンを画像変換パターン記憶部１０２から読み出し、当該画像変換パターンを用いて、原稿読取部５又はネットワークインターフェイス部９１に取得された印刷対象としての画像データに画像処理を行う。
【００３７】
判別部１０４は、原稿読取部５又はネットワークインターフェイス部９１に取得された印刷対象としての画像データが、文字画像又はイメージ画像のいずれであるかを、画像データの頁単位で判別する。なお、以下には、文字画像からなる頁を文字画像頁、イメージ画像からなる頁をイメージ画像頁と記す。
【００３８】
なお、判別部１０４は、画像データから文字画像を判別する技術として、例えば、エッジ検出処理の手法を用いる。この場合、判別部１０４は、印刷対象となる画像データの示す画像を構成する各画素を順次注目画素とし、その注目画素と周辺画素を抽出して、それらの画素に対してエッジ検出フィルタを用いたフィルタ処理を施すことにより、画像の輪郭を構成するエッジ画素を検出するエッジ検出処理を行う。そして、判別部１０４は、このエッジ検出処理でエッジを検出した場合に、当該注目画素をエッジ画素と判定し、当該エッジ画素に基づいて文字画像を判定する。例えば、判別部１０４は、注目画素と、注目画素に隣接する8近傍画素との各々の輝度の差分値を算出し、所定の閾値よりも大きな値を有する差分値が、一定個数以上（例えば4個以上）ある場合、その注目画素は、文字画像を構成するエッジ画素であると判定する。判別部１０４は、当該エッジ画素が、予め定められた閾値以上存在する画像を文字画像として判別する。そして、判別部１０４は、原稿1頁分の画像において、当該文字画像の分布密度が、規定された密度（例えば、20%）よりも高くなっていると判定した場合に、当該原稿頁の画像データを文字画像頁と判別する。また、判別部１０４は、当該原稿1頁分の画像データについて、当該文字画像の分布密度が上記規定された密度以下と判定した場合に、当該原稿頁の画像データをイメージ画像頁と判別する。なお、当該イメージ画像には、写真画像、図形画像、グラフィック画像等が含まれる。
【００３９】
また、画像変換パターン記憶部１０２は、イメージ画像の画像処理用に設定された間引き率の画像変換パターン（マスクパターン又はガンマ変換パターン）を更に記憶している。なお、このイメージ画像用の画像変換パターンの間引き率は、集約印刷の集約率に拘わらず固定の値として記憶されている。画像変換パターン記憶部１０２は、イメージ画像の画像処理用に設定された間引き率の画像変換パターンとして、上記マスクパターンｍ１又はガンマ変換パターンｇ１を記憶している。
【００４０】
また、画像処理部１０３は、指示受付部１０１に集約印刷及びトナーセーブ印刷の両方を実行する指示が受け付けられているときに、判別部１０４により判別された文字画像頁の画像データについて、集約率に対応付けられた画像変換パターンを用いて画像処理を行い、判別部１０４により判別されたイメージ画像頁に対応する画像データについては、イメージ画像の画像処理用の画像変換パターンを用いて画像処理を行う。
【００４１】
なお、本発明の一実施形態に係る画像処理装置は、上記指示受付部１０１、画像変換パターン記憶部１０２、画像処理部１０３、及び判別部１０４を備えてなる。但し、判別部１０４は、以下に示す実施形態において必要となる限りで、本発明の一実施形態に係る画像処理装置の構成要素となる。
【００４２】
制御ユニット１０は、ＨＤＤ９２にインストールされている画像処理プログラムに従った動作により、制御部１００（集約印刷及びトナーセーブ印刷を併せて実行する際における後述の画像処理に関する機能）、指示受付部１０１、画像変換パターン記憶部１０２、画像処理部１０３、及び判別部１０４として機能する。但し、当該制御部１００、指示受付部１０１、画像変換パターン記憶部１０２、画像処理部１０３、及び判別部１０４は、制御ユニット１０による画像処理プログラムに従った動作によらず、それぞれハード回路により構成することも可能である。以下、特に触れない限り、各実施形態について同様である。
【００４３】
次に、画像形成装置１で集約印刷及びトナーセーブ印刷を併せて実行する際における画像処理を説明する。図５は、画像形成装置１で集約印刷及びトナーセーブ印刷を併せて実行する際における画像処理を示すフローチャートである。図６は読取対象とされる原稿と、集約印刷及びトナーセーブ印刷を併せて行って得た印刷物の例を示す図である。
【００４４】
本実施形態は、画像処理部１０３が、上記画像処理としてマスク処理を行う実施形態である。また、以下には、原稿読取部５による原稿読取で取得される画像データを印刷対象の画像データとする場合を例にして説明するが、ネットワークインターフェイス部９１に上記ＰＣ２０等から取得された画像データを印刷対象の画像データとして以下に示す画像処理を行ってもよい。
【００４５】
操作者による操作部４７の操作によりコピー指示が入力されると（Ｓ１でＹＥＳ）、画像処理部１０３は、指示受付部１０１にトナーセーブ印刷の実行指示が受け付けられているかを判断する（Ｓ２）。ここで、画像処理部１０３は、指示受付部１０１にトナーセーブ印刷の実行指示が受け付けられていないと判断すると（Ｓ２でＮＯ）、更に、集約印刷の実行指示が指示受付部１０１に受け付けられているかを判断する（Ｓ１２）。
【００４６】
画像処理部１０３が、集約印刷の実行指示が受け付けられていないと判断した場合（Ｓ１２でＮＯ）、制御部１００により、トナーセーブ印刷及び集約印刷のいずれも行わない設定でコピー動作に伴う原稿読取動作及び画像形成動作が実行される（Ｓ１９）。
【００４７】
一方、画像処理部１０３が、集約印刷の実行指示が受け付けられていると判断した場合は（Ｓ１２でＹＥＳ）、制御部１００により、コピー動作に伴う原稿読取動作及び画像形成動作が実行されると共に、当該原稿読取動作で取得された画像データに対して従来一般の集約印刷に必要な画像処理が実行される（Ｓ１３）。
【００４８】
また、画像処理部１０３は、上記Ｓ２において、指示受付部１０１にトナーセーブ印刷の実行指示が受け付けられていると判断した場合（Ｓ２でＹＥＳ）、集約印刷の実行指示が指示受付部１０１に受け付けられているかを判断する（Ｓ３）。ここで、画像処理部１０３が、集約印刷の実行指示が受け付けられていないと判断すると（Ｓ３でＮＯ）、画像処理部１０３は、集約印刷を行わずにトナーセーブ印刷を行うために、集約率1in1に対応付けられているマスクパターンｍ１を画像変換パターン記憶部１０２から読み出し、当該マスクパターンｍ１を用いて、原稿読取部５による原稿読取で取得される全頁の画像データにマスク処理を行うように設定する（Ｓ１５）。
【００４９】
上記Ｓ１５の後、制御部１００は、原稿読取部５に原稿載置台６１に載置された原稿読取を開始させ、原稿画像の画像データを生成させる（Ｓ１６）。続いて、画像処理部１０３は、当該原稿読取部５による読取で取得された画像データに対して、マスクパターンｍ１を用いてマスク処理を行う（Ｓ１７）。この後、制御部１００は、画像形成部１２に当該画像データの画像形成（印刷）を行わせる（Ｓ１８）。
【００５０】
また、上記Ｓ３において、画像処理部１０３が、指示受付部１０１に集約印刷の実行指示が受け付けられていると判断した場合は（Ｓ３でＹＥＳ）、画像処理部１０３は、当該集約印刷の指示で指定されている集約率に応じたマスクパターンを画像変換パターン記憶部１０２から読み出し、当該マスクパターンを、当該原稿読取部５による読取で取得される画像データのうち、文字画像頁に対するマスク処理に用いるマスクパターンとして設定する（Ｓ４）。
【００５１】
例えば、画像処理部１０３は、集約印刷の指示で指定されている集約率が2in1であるときは、画像変換パターン記憶部１０２から、当該2in1の集約率に対応付けられているマスクパターンｍ２を読み出して、文字画像頁に対するマスク処理用として設定する。また、画像処理部１０３は、上記集約率が4in1であるときは、画像変換パターン記憶部１０２から、当該4in1の集約率に対応付けられているマスクパターンｍ３を読み出して、文字画像頁に対するマスク処理用として設定する。なお、画像処理部１０３は、当該指定された集約率に拘わらず、原稿読取部５による読取で取得される画像データのうちイメージ画像頁に対するマスク処理に用いるマスクパターンとして、画像変換パターン記憶部１０２から、マスクパターンｍ１を読み出して設定する。
【００５２】
この後、制御部１００は、原稿読取部５に原稿載置台６１に載置された原稿読取を開始させ、読み終わった原稿についての画像データを順次生成させる（Ｓ５）。なお、本実施形態では、Ｓ５において、原稿読取部５が原稿載置台６１に載置された全ての原稿読取を行うものとし、原稿読取が終了して画像データが生成された頁から順次に、以降の各処理の対象とされるものとして説明している。
【００５３】
続いて、判別部１０４は、当該原稿読取で取得された各頁の画像データについて、1頁毎に、当該頁の画像データが文字画像頁であるか、イメージ画像頁であるかを判別する（Ｓ６）。
【００５４】
判別部１０４が文字画像頁であると判別した場合（Ｓ６でＹＥＳ）、上記指定された集約率に対応する縮小率で当該画像データを縮小し、更に、Ｓ４で当該集約率に応じて文字画像頁に設定したマスクパターンを用いてマスク処理を行う（Ｓ７）。
【００５５】
一方、判別部１０４がイメージ画像頁であると判別した場合は（Ｓ６でＮＯ）、上記指定された集約率に対応する縮小率で当該画像データを縮小し、更に、Ｓ４で設定したイメージ画像用のマスクパターンを用いてマスク処理を行う（Ｓ１４）。
【００５６】
画像処理部１０３は、指示受付部１０１に実行指示が受け付けられている集約印刷の集約率が示す1頁に集約する頁分（集約率Nin1の場合にN頁分）の画像データについて上記画像処理が終わったと判断したとき、又は、原稿最終頁の画像データについて上記画像処理が終わったと判断したとき（Ｓ８でＹＥＳ）、当該頁分の画像データを原稿1頁分に相当
する画像データに合成する（Ｓ９）。制御部１００は、画像形成部１２に当該合成処理で生成された集約後の1頁分の画像データについて画像形成（印刷）を行わせる（Ｓ１０）。
【００５７】
なお、Ｓ８において、画像処理部１０３が、集約印刷の集約率が示す1頁に集約する頁分の画像データについて上記画像処理が終わっていないと判断したとき、又は、原稿最終頁の画像データまで上記画像処理が終わっていないと判断したときは（Ｓ８でＮＯ）、処理はＳ６に戻る。
【００５８】
この後、画像処理部１０３は、上記画像処理が原稿最終頁の画像データまで終了しているかを判断し（Ｓ１１）、終了していない場合は（Ｓ１１でＮＯ）、処理はＳ６に戻り、終了している場合は（Ｓ１１でＹＥＳ）、処理を終了する。
【００５９】
上記に示した集約印刷及びトナーセーブ印刷と、これら両印刷を行う際に行われる上記マスクパターンを用いたマスク処理により、図６（Ａ）に例を示す、原稿読取部５による読取対象となる原稿が、文字画像で構成される1頁目の原稿Ｄ１、イメージ画像で構成される2頁目の原稿Ｄ２，3頁目の原稿Ｄ３、文字画像で構成される4頁目の原稿Ｄ４の印刷を行う場合を説明する。
【００６０】
集約率2in1の集約印刷及びトナーセーブ印刷を行う場合、図６（Ｂ）に示すように、2頁分の文字画像が集約して印刷される1頁目の記録紙Ｐ１は、文字画像頁となる原稿Ｄ１に対応する部分ｐ１１はマスクパターンｍ２により印字率50％で印刷され、イメージ画像頁となる原稿Ｄ２に対応する部分ｐ１２はマスクパターンｍ１により印字率25％で印刷される。また、2頁目の記録紙Ｐ１は、イメージ画像頁となる原稿Ｄ３に対応する部分ｐ１３はマスクパターンｍ１により25％で印刷され、文字画像頁となる原稿Ｄ４に対応する部分ｐ１４はマスクパターンｍ２により印字率50％で印刷される。
【００６１】
一方、集約率4in1の集約印刷及びトナーセーブ印刷を行う場合、図６（Ｃ）に示すように、4頁分の文字画像が集約して印刷される1頁目の記録紙Ｐ１’は、文字画像頁となる原稿Ｄ１に対応する部分ｐ１１はマスクパターンｍ３により印字率75％で印刷され、イメージ画像頁となる原稿Ｄ２，原稿Ｄ３に対応する部分ｐ１２，ｐ１３はマスクパターンｍ１により印字率25％で印刷され、文字画像頁となる原稿Ｄ４に対応する部分ｐ１４はマスクパターンｍ３により印字率75％で印刷される。
【００６２】
上記実施形態によれば、画像変換パターン記憶部１０２は、異なるドット間引き率からなる複数の画像変換パターンと、各画像変換パターンに対応する集約率とを、大きな集約率であるほど、ドット間引き率が小さい画像変換パターンを対応付けて記憶し、画像処理部１０３は、指示受付部１０１に集約印刷及びトナーセーブ印刷の実行指示が受け付けられているときは、当該集約印刷について指定されている集約率に対応付けられた画像変換パターンを画像変換パターン記憶部１０２から読み出し、当該画像変換パターンを用いて、原稿読取部５による原稿読取で取得された画像データに上記画像処理を行うので、当該原稿読取で取得された画像データを集約印刷により縮小した上でトナーセーブ印刷する場合であっても、集約率に応じてトナー量を制限することで、可及的に画像品質を保つことができる。これにより、印刷結果物に文字画像が含まれる場合であっても、文字画像の可読性を極力低下させずに、集約印刷及びトナーセーブ印刷を併せて行うことが可能になる。
【００６３】
また、判別部１０４が、上記原稿読取で取得された画像データを頁毎に文字画像頁であるかイメージ画像頁であるかを判別し、画像処理部１０３は、文字画像頁であると判別された場合は集約率に応じた画像変換パターンを用いて上記画像処理を行い、イメージ画像頁であると判別された場合は、イメージ画像固有の画像変換パターンを用いて上記画像処理を行うので、上記図６（Ｃ）に例を示したように、トナー量低減処理により輪郭が潰れやすく可読性に影響がある文字画像については、集約率に応じたトナー量制限とすることで可及的に画像品質を保ちつつ、このような問題のないイメージ画像については、文字画像よりもトナー低減量を多くした印刷として、トナー量低減の効果を可及的に担保することが可能になる。
【００６４】
なお、上記実施形態では、トナーセーブ印刷時に行う画像処理として、マスク処理を行う場合を説明したが、これに代えて、画像変換パターン記憶部１０２に集約率に応じて又はイメージ画像に対応付けて記憶されているガンマ変換パターンを用いてガンマ変換処理を行ってもよい。この場合、上記実施形態において、マスクパターンに換えてガンマ変換パターンを用い、マスク処理に代えてガンマ変換処理を行う。
【００６５】
また、上記実施形態では、画像処理部１０３は、文字画像及びイメージ画像の別に応じた画像変換パターン（マスクパターン又はガンマ変換パターン）の使い分けを行っているが、これに限定されず、文字画像及びイメージ画像を区別せずに、集約率に応じてのみ画像変換パターンの使い分けを行う場合も、本発明の一実施形態である。
【００６６】
本発明は上記実施の形態の構成に限られず種々の変形が可能である。図１乃至図６を用いて上記各実施形態に示した構成及び処理は、本発明の一実施形態に過ぎず、本発明の構成及び処理はこれに限定されるものではない。
【符号の説明】
【００６７】
１          画像形成装置
５          原稿読取部
１０        制御ユニット
１００      制御部
１０１      指示受付部
１０２      画像変換パターン記憶部
１０３      画像処理部
１０４      判別部
１２        画像形成部
９１        ネットワークインターフェイス部
ｍ１〜ｍ３  マスクパターン
ｇ１〜ｇ３  ガンマ変換パターン
【手続補正２】
【補正対象書類名】図面
【補正対象項目名】図１
【補正方法】変更
【補正の内容】
【図１】
2014107833.tif 000009